(57)【要約】【課題】垂れ蓋の表面に鋲の頭部が現れることなく、充分な強度を発揮するランドセルの錠前ベルト連結構造を提供する。それによって垂れ蓋の表面のデザインの自由度を向上させる。【解決手段】ランドセルの垂れ蓋１１と、その垂れ蓋の自由端に連結される錠前ベルト１２の基部１３との連結構造であって、垂れ蓋１１が表シート１４と、表シートの自由端近辺の裏側を覆う裏シート１５とを有し、錠前ベルト１２の基部１３が、裏シート１５に形成されたスリット２２から表シート１４と裏シート１５の間に挿入されると共に、前記基部１３が糸２４で裏シート１５に一体に結合され、かつ、その糸２４が表シート１４によって覆われている錠前ベルト連結構造１０。【選択図】図１
2019054849.tif 000002
【特許請求の範囲】
【請求項１】
ランドセルの垂れ蓋と、その垂れ蓋の自由端に連結される錠前ベルトの基部との連結構造であって、
前記垂れ蓋が表シートと、その表シートの少なくとも自由端近辺の裏側を覆う裏シートとを有し、
前記錠前ベルトの基部が、裏シートに形成されたスリットから表シートと裏シートの間に挿入されると共に、
前記基部が結合部材で裏シートに一体に結合され、かつ、その結合部材が表シートによって覆われている、
錠前ベルト連結構造。
【請求項２】
前記結合部材が鋲、糸またはその両方である請求項１記載の錠前ベルト連結構造。
【請求項３】
前記表シートと錠前ベルトの基部との間に弾性シートが介在している請求項１記載の錠前ベルト連結構造。
【請求項４】
前記表シートの内面と前記弾性シートとの間に保形芯材が介在している請求項３記載の錠前ベルト連結構造。
【請求項５】
前記表シートの自由端近辺の外面に、装飾が施されている請求項１〜４のいずれかに記載の錠前ベルト連結構造。
【請求項６】
箱状の本体と、その本体の上端開口から背面にかけて覆う垂れ蓋と、本体の下面に設けた錠前と、垂れ蓋の自由端に錠前ベルトを介して連結され、前記錠前に係止される係止板とを備え、前記錠前ベルトと垂れ蓋とが請求項１〜５のいずれかに記載の錠前ベルト連結構造によって連結されているランドセル。
【発明の詳細な説明】
【技術分野】
【０００１】
本発明は、ランドセルの錠前ベルト連結構造に関する。さらに詳しくは、ランドセルの垂れ蓋の自由端に錠前ベルトの基部、とくに２つに分かれた基部を連結する構造に関する。
【背景技術】
【０００２】
ランドセルの垂れ蓋は、その先端に錠前ベルト（留めベルト、Ｙベルト）を連結しており、その錠前ベルトの先端に連結した係止板を、底板に設けた錠前（いわゆるひねり錠）に係止することにより、本体や副収納部の上部開口を塞ぐようにしている。そして特許文献１のランドセルのように、垂れ蓋の裏シートに形成したスリットから錠前ベルトの基部を表シートと裏シートの隙間に挿入し、表シート、錠前ベルトの基部、裏シートの全体を縫い糸と鋲で一体に結合している（特許文献１の図２、図１４参照）。
【０００３】
上記のような連結構造を採用するため、錠前ベルトは垂れ蓋に対し、しっかりと結合され、６年間もの長期間の使用に耐えることができる。さらに垂れ蓋の自由端近辺には通常は２個の鋲の頭部が露出しているので、垂れ蓋と錠前ベルトの結合の強さを演出することができる。また、盾や星などの特有の形状にすることにより、装飾効果を与えることにも利用される（特許文献１の段落［００２８］参照）。さらに特許文献１では、鋲を中空にすると共に、鋲の中空部に発光ダイオードを収容して、ドライバーからの視認性を高めることに利用することを提案している。
【０００４】
他方、特許文献２の図１には、垂れ蓋の自由端の中央部に幅広のベルト（引張帯）を結合し、その先端に係止板を結合したランドセルが記載されている。さらに特許文献２の図１５には、従来例として、二股の錠前ベルト（Ｙベルト）を備え、しかも錠前ベルトを垂れ蓋に連結する鋲を備えていないランドセルが記載されている。特許文献３には、垂れ蓋に軟質合成樹脂製の補強板を縫合し、それらに錠前ベルトを鋲着することが記載されている。
【先行技術文献】
【特許文献】
【０００５】
【特許文献１】特開２０１３−４２８９７号公報
【特許文献２】登録実用新案第３１３３３９９号公報
【特許文献３】実開平０２−４２５１９号公報
【発明の概要】
【発明が解決しようとする課題】
【０００６】
特許文献１のように、鋲の頭部が垂れ蓋の表面に現れているランドセルでは、垂れ蓋のデザインの自由度が制限され、デザインの邪魔になることがある。すなわち、垂れ蓋に装飾を設ける場合、鋲の頭をデザインに取り入れるか、鋲の頭部を避けてデザインを設けるか、鋲の頭部を隠す必要がある。しかしいずれの場合も煩雑であり、デザインの自由度が損なわれる。
【０００７】
特許文献２では引張帯の取付構造が具体的に記載されておらず、引張帯を垂れ蓋に対して鋲で留めているのか、縫合しているだけか、あるいは単に鋲の頭部の図示を省略しているのか不明である。さらに特許文献２の図１５のランドセルは、従来例とされていることもあり、単なる図面上の省略であると解される。いずれにしても、具体的な構成は開示されていない。特許文献３の補強板は、錠前ベルトの連結強度を向上させるが、鋲の頭部が表シートの外部に現れる。
【０００８】
本発明は、垂れ蓋の表面に鋲の頭部が現れることなく、しかも充分な強度を発揮するランドセルの錠前ベルト連結構造を提供すること、そしてそれによって垂れ蓋の表面のデザインの自由度を向上させることを技術課題としている。
【課題を解決するための手段】
【０００９】
本発明の錠前ベルト連結構造１０は、ランドセルの垂れ蓋１１と、その垂れ蓋の自由端に連結される錠前ベルト１２との連結構造であって、前記垂れ蓋１１が表シート１４と、その表シートの少なくとも自由端近辺の裏側を覆う裏シート１５とを有し、前記錠前ベルト１２の基部１３が、裏シート１５に形成されたスリット２２から表シート１４と裏シート１５の間に挿入されると共に、前記基部１３が結合部材（２４、４５）で裏シート１５に一体に結合され、かつ、その結合部材（２４、４５）が表シート１４によって覆われていることを特徴としている。
【００１０】
このような錠前ベルト連結構造１０においては、前記結合部材が糸２４、鋲４５またはその両方であるものが用いられる。そして前記表シート１４と錠前ベルトの基部１３との間に弾性シート１７が介在しているものが好ましい。さらに前記表シート１４の内面と前記弾性シート１７との間に保形芯材１６が介在しているものが更に好ましい。また、前記表シート１４の自由端近辺の外面に、装飾（Ｄ）が施されているものが一層好ましい。
【００１１】
本発明のランドセル３０は、箱状の本体３１と、その本体の上端開口３２から背面にかけて覆う垂れ蓋１１と、本体３１の下面に設けた錠前と、垂れ蓋１１の先端に錠前ベルト１２を介して連結され前記錠前に係止される係止板３３とを備え、前記錠前ベルト１２と垂れ蓋１１とが前記いずれかの錠前ベルト連結構造１０によって連結されていることを特徴としている。
【発明の効果】
【００１２】
本発明の錠前ベルト連結構造は、錠前ベルトの基部が結合部材で裏シートに一体に結合され、かつ、その結合部材が表シートによって覆われている。すなわち表シートは結合部材で錠前ベルトおよび裏シートのうち錠前ベルトと重なる部位に直接結合されていない。そして結合部材の表側の端部は表シートによって隠されている。そのため、結合部材が表シートの表面に現れない。そして錠前ベルトの基部は裏シートに対して結合部材で一体に連結されているので、連結強度は充分に高い。表シートと裏シートは周縁部を縫合するなどにより結合すればよい。このような構成により、垂れ蓋に対する錠前ベルトの結合強度が充分に高い。しかも表シートの表面に糸や鋲などの結合部材が表れず、縫い目や鋲によるへこみもないので表シートの表面が平滑になる。そのため、垂れ蓋の美観や装飾のデザインの自由度が上がる。
【００１３】
結合部材として糸、鋲またはその両方を採用する場合は、結合強度が高く、しかもランドセルを効率的に製造することができる。糸のみの場合は鋲の頭部が突出しないので平坦であり、鋲と併用する場合は強度が高い。前記表シートと錠前ベルトの基部との間に弾性シートが介在している場合は、錠前ベルトと他の部分の段差や結合部材の凹凸が表シートの表面に現れず、表面の平滑性および美観が一層保たれる。そのため、刺繍などの装飾を施すとき、スムーズに行うことができ、しかもできあがった装飾のゆがみが少ない。
【００１４】
前記表シートの内面と前記弾性シートとの間に保形芯材が介在している場合は、表シートの平滑性が一層高くなる。また、外力によって変形しにくい。前記表シートの自由端近辺の外面に、装飾が施されている場合は、表シートの表面に鋲が表れていないことによって装飾の美的効果が向上する。
【００１５】
本発明のランドセルは、錠前ベルトが前記いずれかの錠前ベルト連結構造によって垂れ蓋に連結されているので、垂れ蓋の表面、とくに先端近辺に、縫い目や鋲の頭部によって邪魔されずに装飾を施すことができる。
【図面の簡単な説明】
【００１６】
【図１】本発明の錠前ベルト連結構造の一実施形態を示す裏面側から見た縫製前の斜視図である。
【図２】図１の垂れ蓋の縫製後の要部斜視図である。
【図３】図２のＩＩＩ−ＩＩＩ線断面図である。
【図４】図１の垂れ蓋の表面側から見た縫製後の斜視図である。
【図５】本発明の錠前ベルト連結構造を採用したランドセルの斜視図である。
【図６】本発明の錠前ベルト連結構造を備えた垂れ蓋の他の実施形態を示す表面側の斜視図である。
【図７】本発明の錠前ベルト連結構造の他の実施形態を示す断面図である。
【発明を実施するための形態】
【００１７】
図１は錠前ベルト連結構造１０をランドセルの垂れ蓋１１の裏面側から見た状態を示している。この錠前ベルト連結構造１０は、垂れ蓋１１と、その垂れ蓋の自由端に連結されるＹ字状の錠前ベルト１２の２つに分かれた基部１３とを連結する構造である。垂れ蓋１１は、表シート１４と、その表シートの自由端近辺の裏面側を覆う裏シート１５とを有する。そして表シート１４と裏シート１５の間には、それぞれ裏シート１５より一回り小さい板状の保形芯材１６と、その上に重ねられる弾性シート１７とが介在される。
【００１８】
さらに弾性シート１７を含む表シート１４の全体の上には、表シートより一回り小さい軟質シート１８が重ねられ、その上に表シート１４と略同寸法の化粧裏地１９が重ねられる。化粧裏地１９の左右の縁部の上には、細幅の縁枠２０が重ねられる。それらの表シート１４、保形芯材１６、弾性シート１７、軟質シート１８、化粧裏地１９、縁枠２０および裏シート１５は、その順に重ねられ、糸２１で縫い合わされて一体化され、垂れ蓋１１の基本構造となる（図２〜４参照）。各シートは必要に応じて縫い合わせる前に接着剤で接合しておく。
【００１９】
この錠前ベルト連結構造１０では、裏シート１５に垂れ蓋１１の先端側に向かって凸となる円弧状のスリット２２が左右一対で形成されている。そして図２および図３に示すように、錠前ベルト１２の二股に分かれている基部１３がそれらのスリット２２に通され、裏シート１５の内面に重ねられ、結合部材である糸２４で裏シート１３に縫い付けられる。糸２４は基部１３の両側に沿う部位と、中央のＶ字状に縫い合わされる部位とで全体にＭ字状に連続して縫合される（図２参照）。Ｎ字状や四角形に縫合することもできる。
【００２０】
図３に示すように、錠前ベルト１２は表材２５、芯材２６および裏材２７の３層で構成され、縁を糸２８で縫い合わせている。そのため、強度が高い。スリット２２に挿入されない部位では、表材２５と芯材２６の間に弾性シート２９を介在させてもよい。
【００２１】
この実施形態では、糸２４は裏シート１５と三層の錠前ベルト１２の基部１８を縫い合わせており、表シート１４や、弾性シート１７、保形芯材１６を縫い合わせて貫通していない。そのため、図４に示すように、垂れ蓋１１の表面には鋲２３が現れず、また、錠前ベルト１２を縫い付ける糸２４も現れない。なお、表シート１４と錠前ベルト１２と一緒に化粧裏地１９および軟質シート１８を縫い合わせて結合してもよい。
【００２２】
錠前ベルト１２は比較的薄く扁平である。そして縫合後は錠前ベルト１２は弾性シート１７に埋め込まれ、側縁の段差が吸収された状態になる。さらに錠前ベルト１２と表シート１４の間には、剛性が高い保形芯材１６が介在されているので、表シート１４の表面には錠前ベルト１２の凹凸が実質的に表れない。そのため図４に示すように、垂れ蓋１１の表面側は平滑である。通常は錠前ベルト１２を糸２４で裏シート１５に縫合した後、裏シート１５を表シート１４などに縫合する。
【００２３】
前述の表シート１４としては、従来のランドセルと同様の、皮革あるいは合成皮革などの強度と美観、高級感に優れたシート材が用いられる。表シート１４は縫製が可能であることや、ランドセルの垂れ蓋１１として可撓性を備えていることも必要である。裏シート１５および縁枠２０も表シート１４と同様の素材が用いられる。保形芯材１６は長期にわたって垂れ蓋１１の形状を維持し、とくに垂れ蓋の表面側を平滑に維持するものであり、たとえばベルポーレンなどの合成樹脂シートなど、強度と剛性、張りを備え、しかも適度の可撓性と縫合容易性を備えたシート材が用いられる。
【００２４】
前述の弾性シート１７としては、発泡ウレタンや発泡ポリエチレンなどの合成樹脂発泡体からなるシートが好ましい。軟質シート１８は湾曲と戻りを繰り返す垂れ蓋１１を内部から支えることにより、垂れ蓋に張りを与え、長期にわたって平滑で美麗な表面状態を維持するものである。このような軟質シート１８としては、ゴムシート、軟質合成樹脂シートなどが用いられる。化粧裏地１９は軟質シート１８を隠して見栄えをよくするもので、鮮やかな色の合成樹脂シートや艶のある化学繊維などからなる美麗な織布などが用いられる。軟質シート１８と化粧裏地１９はあらかじめ糊や接着剤で一体に接合しておくのが好ましい。
【００２５】
前記錠前ベルト１２の表材２５、裏材２７は、垂れ蓋１１の表シート１４と同様の材料が用いられ、芯材２６には保形芯材１６と同様の材料が用いられる。ただし錠前ベルト１２の材料や垂れ蓋１１の材料として他の材料を用いることもでき、錠前ベルトと垂れ蓋の材料を異ならせてもよい。
【００２６】
図５に示すランドセル３０は、箱状の本体３１と、その本体の上端開口３２から背面にかけて覆う垂れ蓋１１とを備えている。本体３１の下面には錠前（図示されていない）が取り付けられており、図４に示すように、垂れ蓋１１の先端に錠前ベルト１２を介して錠前に係止される係止板３３が連結されている。そして錠前ベルト１２と垂れ蓋１１とが図１に示された前述の錠前ベルト連結構造１０によって連結されている。
【００２７】
さらに図５のランドセル３０では、垂れ蓋１１の先端近辺の表面に刺繍Ｄが施されている。刺繍Ｄはたとえばコンピュータ制御による刺繍ミシンにより、顧客がデザインした、あるいは選択したデザインで作製するのが好ましい。顧客がデザインしたり選択したりしたランドセルは、小学生の６年間、単なる道具の域を超えて、児童にとって最も好ましく愛されるべき相棒となる。顧客が要望するデザインは、たとえばネット販売時、購入を申し込むとき、あるいは販売店で購入予約するとき、その他郵送などで提出させるようにする。
【００２８】
なお図２に示すように、裏シート１５と表シート１４は、間にパッキン（弾性シート１７）が詰め込まれて周囲が縫い合わされた状態であるので、垂れ蓋１１の先端近辺は中央部が膨らんでいる。そしてこの膨らんだ範囲に、刺繍Ｄなどのデザインを施すので見栄えがよい。とくに鋲を使用しないので鋲の頭が表れず、さらに弾性シート１７や保形芯材１６によって錠前ベルト１２の凹凸が隠され、また鋲を使用しても鋲の頭自体および頭により生ずる凹みが隠されるので、デザインの邪魔にならない。よって優れたデザイン効果が得られる。
【００２９】
図６に示す垂れ蓋４０は、表シート１４が垂れ蓋の先端近辺４１と左右の側縁４２とからなるＵ字状を呈しており、中央部４３や上部は繰り抜いた状態である。そのため、中央部４３や上部では軟質シート１８が露出している。また、軟質シート１８の裏側、すなわち外部に現れる面に化粧裏地と同様の化粧シートを設ける場合は、その化粧シートが露出する。いずれの場合も表面シート１４と軟質シート１８（あるいは化粧シート）との間に段差が生ずる。この段差は表面シート１４の厚さ分の高さがあり、先端近辺４１の上端縁４１ａに沿う形状となる。したがって表シート１４の先端近辺４１の上端縁４１ａの形状を工夫することにより、段差をデザインの要素として使用することができる。
【００３０】
前記実施形態では軟質シート１８と化粧裏地１９を設けているが、これらを省略してもよい。また、Ｙ字状の錠前ベルト１２を採用しているが、三角形状または台形状など、他の形状のベルトを採用することもできる。結合部材として糸２４を用いているが、図７に示すように、糸２４で縫合したうえで、鋲４５によって錠前ベルト２３の基部１３を裏シート１５に鋲着してもよい。また、糸を用いずに鋲４５のみを採用することもできる。鋲４５を採用する場合は、結合強度が高くなる。
【００３１】
鋲４５の頭部４６は薄く扁平であり、錠前ベルト１２の下方に出ている先端部４７もつぶされている。先端部４７と表シート１４の間に弾性シート２９や保形芯材１６が介在しているので、表シート１４の表面に先端部４７の凹凸がほとんど表れない。鋲４５の軸４８は錠前ベルト１２を貫通している。軸４８は中空であってもよい。
【符号の説明】
【００３２】
１０  錠前ベルト
１１  垂れ蓋
１２  錠前ベルト
１３  基部
１４  表シート
１５  裏シート
１６  保形芯材
１７  弾性シート
１８  軟質シート
１９  化粧裏地
２０  縁枠
２１  糸
２２  スリット
２４  糸
２５  表材
２６  芯材
２７  裏材
２８  糸
３０  ランドセル
３１  本体
３２  開口
３３  係止板
Ｄ  刺繍
４０  垂れ蓋
４１  先端近辺
４１ａ  上端縁
４２  側縁
４３  中央部
４５  鋲
４６  頭部
４７  先端部
４８  軸
【図１】
2019054849.tif 000003
【図２】
2019054849.tif 000004
【図３】
2019054849.tif 000005
【図４】
2019054849.tif 000006
【図５】
2019054849.tif 000007
【図６】
2019054849.tif 000008
【図７】
2019054849.tif 000009